(57)【要約】【課題】チェーンソーにおいて、直感的で簡単な操作でソーチェーンの張り具合を調整できる構成を提供する。【解決手段】本体フレームに収容されたモータによって回転駆動されるスプロケットにより送られて、ソーチェーンがガイドバーの外周に沿って摺動案内されて周回するチェーンソーにおいて、本体フレームの片側側面部の内側位置に垂直軸線の周りを回転可能に支承された垂直回転軸と、垂直回転軸の軸線に直交する平面内で回転操作可能に垂直回転軸に一体に固定された操作ホイールと、本体フレームの片側側面部の内側位置に前後方向の水平軸線の周りを回転可能に支承され、垂直回転軸の回転に応じて回転すべく垂直回転軸と係合する水平回転軸と、水平回転軸と螺合し、前記水平回転軸の回転に応じて前後方向に移動され、その前後方向の移動により前記ガイドバーを前後方向に移動させる調整ピンとを設けて、ソーチェーンの張り具合を調整する機構を構成する。【選択図】図４
2015044293.tif 000002
【特許請求の範囲】
【請求項１】
チェーンソーの本体フレームに収容されたモータと、
前記モータによって回転駆動されるスプロケットと、
細長の板状体を呈し、前記スプロケットに対する前後方向位置を調整可能に前記本体フレームに取り付けられるガイドバーと、
前記スプロケットにより駆動されて、前記ガイドバーの外周に沿って摺動案内されて周回するソーチェーンと、
前記本体フレームの片側側面部の内側位置に垂直軸線の周りを回転可能に支承された垂直回転軸と、
前記垂直回転軸の軸線に直交する平面内で回転操作可能に前記垂直回転軸に一体に固定された操作ホイールと、
前記本体フレームの片側側面部の内側位置に前後方向の水平軸線の周りを回転可能に支承され、前記垂直回転軸の回転に応じて回転すべく前記垂直回転軸と係合する水平回転軸と、
前記水平回転軸と螺合し、前記水平回転軸の回転に応じて前後方向に移動され、その前後方向の移動により前記ガイドバーを前後方向に移動させる調整ピンと、
を備えてなるチェーンソー。
【請求項２】
請求項１に記載のチェーンソーにおいて、
前記モータは、前記本体フレームの左寄りの部分に収容されており、
前記ガイドバーは、前記本体フレームの右寄りの部分から前方に向けて延び出して前記本体フレームに取り付けられ、
前記垂直回転軸は、前記本体フレームの右側側面部の内側位置に支承されており、
前記水平回転軸は、前記本体フレームの右側側面部の内側位置に支承され、傘歯車により前記垂直回転軸と係合しており、
前記操作ホイールは、その一部が前記本体フレームの右側側面の上部に設けられた操作窓から露出している
ことを特徴とするチェーンソー。
【発明の詳細な説明】
【技術分野】
【０００１】
この発明は、チェーンソーに関し、とくに、ソーチェーンの張り具合を調整するための機構に関し、直感的で簡単な操作でソーチェーンの張り具合が調整できるように工夫したものである。
【背景技術】
【０００２】
鋸刃（鋸歯）をエンドレスに連結してなるソーチェーンを原動機で高速回転駆動して立木や木材などを切断するチェーンソーは、ソーチェーンが経年使用により緩んだときや新しいものに交換したときに、スプロケットにより回転送りされてガイドバーの外周に沿って摺動案内されるソーチェーンの張り具合を最適な状態に調整できるように、スプロケットに対してガイドバーの位置を前後方向に移動させて調整できる機構が設けられている。
【０００３】
ソーチェーンの張り具合を調整する機構の例が特許文献１および２に開示されている。
特許文献１に開示された機構では、調整用の操作ホイールの回転を歯数比が１未満のギヤで増速して第２回転シャフトを回転させ、第２回転シャフトの送りねじ部に螺合させたアジャストピンによりガイドバーを前後に進退させる構成を採用している。それにより、少ない操作量でソーチェーンの張り具合を大きく調整できるようにしている。特許文献２に開示された機構では、調整用の操作ホイールの回転をギヤ伝達した第２回転シャフトの送りねじ部に螺合するアジャストピンでガイドバーを前後に進退させ、その際に第２回転シャフトとアジャストピンの係合を接離可能として、第２回転シャフトを回転させなくてもアジャストピンを必要に応じて前後に移動できる構成を採用している。いずれの場合も、操作ホイールの操作方向（指で駆動する方向）は、上下方向である。
【先行技術文献】
【特許文献】
【０００４】
【特許文献１】特開２０１０−２６９４９０号公報
【特許文献２】特開２０１０−２６９４９１号公報
【発明の概要】
【発明が解決しようとする課題】
【０００５】
この発明は、ソーチェーンの張り具合を調整する場合に、直感的で簡単な操作でソーチェーンの張り具合が調整できるチェーンソーを提供することを目的とする。
【課題を解決するための手段】
【０００６】
上記の課題を解決するために、この発明によるチェーンソーは、チェーンソーの本体フレームに収容されたモータと、モータによって回転駆動されるスプロケットと、細長の板状体を呈し、スプロケットに対する前後方向位置を調整可能に本体フレームに取り付けられるガイドバーと、スプロケットにより駆動されて、ガイドバーの外周に沿って摺動案内されて周回するソーチェーンと、本体フレームの片側側面部の内側位置に垂直軸線の周りを回転可能に支承された垂直回転軸と、垂直回転軸の軸線に直交する平面内で回転操作可能に垂直回転軸に一体に固定された操作ホイールと、本体フレームの片側側面部の内側位置に前後方向の水平軸線の周りを回転可能に支承され、垂直回転軸の回転に応じて回転すべく垂直回転軸と係合する水平回転軸と、水平回転軸と螺合し、水平回転軸の回転に応じて前後方向に移動され、その前後方向の移動によりガイドバーを前後方向に移動させる調整ピンとを備えてなる、ことを特徴とする。
【０００７】
この発明のチェーンソーでは、モータを本体フレームの左寄りの部分に収容し、ガイドバーを本体フレームの右寄りの部分から前方に向けて延び出して本体フレームに取り付け、ソーチェーンの張り具合を調整する機構としての垂直回転軸および水平回転軸を本体フレームの右側側面部の内側位置に支承し、両回転軸を傘歯車により係合させることができる。
【発明の効果】
【０００８】
この発明によれば、チェーンソーにおいて、直感的で簡単な操作でソーチェーンの張り具合を調整することができる。
【図面の簡単な説明】
【０００９】
【図１】この発明の一実施形態によるチェーンソーの全体の外観を示す右後方から見た斜視図である。
【図２】図１に示すチェーンソーの水平断面図である。
【図３】図１に示すチェーンソーのスプロケットカバーを外した状態を示す右後方から見た斜視図である。
【図４】図３に示すチェーンソーからさらにガイドバーを外した状態を示す右から見た側面図である。
【図５】この発明によるソーチェーンの張り具合を調整する機構について図解する側面図である。
【発明を実施するための形態】
【００１０】
以下に、この発明によるチェーンソーの実施形態を、図面を参照しながら説明する。この発明の実施形態によるチェーンソーは、図１の右後方から見た斜視図に示すような外観を呈し、図２の水平断面図に示すような内部構造を有するものであり、本体フレーム１０の左寄りの部分に原動機としてのモータ２０を収容しており、右寄りの部分から前方に向けてガイドバー２２が延び出していて、このガイドバー２２の外周に沿ってソーチェーン２３（図では、二点鎖線で表現されている）が摺動案内されて周回する構成になっている。本体フレーム１０には、使用に際してチェーンソーを手で把持するために、第１グリップ１１および第２グリップ１２が設けられており、第２グリップ１２の内側には、使用時にソーチェーンの回動の起動・停止を制御するトリガスイッチ１５が設けられている。図３は、図１の状態から、本体フレーム１０の右側面の締付ノブ１３を緩めてスプロケットカバー１４を外した状態を示し、ソーチェーン２３がスプロケット２１からガイドバー２２の外周にかけて張り渡されている。モータ２０の回転が歯車を介してスプロケット２１に伝達されてスプロケット２１が回転すると、ソーチェーン２３がガイドバー２２の外周に沿って回動し、チェーンソーとして作動する。
【００１１】
ガイドバー２２には、その手前端付近に前後方向に細長い長孔２２ａが開いており、これに本体フレーム１０から凸設された支持ボルト１７と支持ピン１８が貫通していて、本体フレーム１０に対するガイドバー２２の上下方向の位置を規制するとともに前後方向の移動を許容している。支持ボルト１７には締付ノブ１３が螺合しており、スプロケットカバー１４およびガイドパー２２を本体フレーム１０に対して締め付ける役割をしている。締付ノブ１３を緩めた状態では、ガイドバー２２が本体フレーム１０に対して前後方向に位置調整可能であり、すなわち、スプロケット２１に対する距離が調整可能であり、それによりソーチェーン２３の張り具合を調整することができる。図４は、図３の状態から、さらにガイドバー２２を取り外した状態を示す側面図であり、図３および図４を参照しながらガイドバー２２の前後方向の位置調整について説明すると、前後方向に移動可能な調整ピン３０がガイドバー２２の係止孔２２ｂに係止していて、調整ピン３０を前後方向に進退させるに従ってガイドバー２２が前後方向に進退する。
【００１２】
次いで、図４および図５を参照しながら、調整ピン３０を前後方向に進退させる機構について説明する。本体フレーム１０の右側側面の内側には、ガイドバー２２の手前端部（スプロケット２１に近い側の端部）近傍の位置に垂直回転軸３１がその垂直軸線の周りを回転可能に本体フレーム１０に対して支承されており、垂直回転軸３１にはその軸線に直交する平面内に延びる略円板状の操作ホイール３２が一体に固定されていて、作業者の指により回転操作できるように、操作ホイール３２の一部が本体フレーム１０の右側側面の上部に設けられた操作窓１６から露出している。垂直回転軸３１の下方には、同じく本体フレーム１０の右側側面の内側に、前後方向に横たわる水平回転軸３３がその水平軸線の周りを回転可能に本体フレーム１０に対して支承されており、垂直回転軸３１と水平回転軸３３とは互いに交差する箇所において傘歯車３４、３５により係合されていて、垂直回転軸３１の回転が水平回転軸３３に伝達されるようになっている。水平回転軸３３には、送りねじ３６が切られていて、送りねじ３６に対して調整ピン３０が螺合しており、水平回転軸３３の回転に伴って調整ピン３０が前後方向に進退し、調整ピン３０がガイドバー２２の係止孔２２ｂを前方向または後ろ方向に押して、ガイドバー２２を前後方向に進退させる。
【００１３】
ソーチェーン２３を交換する場合は、締付ノブ１３を緩めて支持ボルト１７から外して、スプロケットカバー１４を取り外し、操作ホイール３２を手前方向（上から見て時計回り方向）に回転操作して、ガイドバー２２を後退させ（すなわち、スプロケット２１に近づけ）、ソーチェーン２３を弛ませて取り外し、新しいソーチェーン２３をスプロケット２１とガイドバー２２にかけて張り渡して、上記と逆の手順で張り具合を適切に調整し、スプロケットカバー１４を被せて、締付ノブ１３でスプロケットカバー１４およびガイドバー２２を本体フレーム１０に締め付け固定する。ソーチェーン２３の張り具合を調整するだけの場合は、締付ノブ１３を緩め、スプロケットカバー１４は外さないままで、操作ホイール３２を操作してガイドバー２２の前後方向位置を調整し、適切な位置に締め付ける。
【００１４】
以上に図解して説明した実施形態においてソーチェーン２３の張り具合を調整するには、締付ノブ１３を緩めた状態で、操作窓１６から覗いている操作ホイール３２を前方に回すと、調整ピン３０が前進してガイドバー２２を前方に押し、ソーチェーン２３が緊張し、操作ホイール３２を後方に回すと、調整ピン３０が後退してガイドバー２２を後方に押し、ソーチェーン２３が弛緩する。
【００１５】
以上説明したように、この発明のチェーンソーは、操作ホイールを前後方向に操作することによりガイドバーを前後方向に進退させて、ソーチェーンを緊張・弛緩させるので、直感的で簡単な操作でソーチェーンの張り具合を調整することができる。
【符号の説明】
【００１６】
１０…本体フレーム、１１…第一グリップ、１２…第二グリップ、１３…締付ノブ、１４…スプロケットカバー、１５…トリガスイッチ、１６…操作窓、１７…支持ボルト、１８…支持ピン、２０…モータ、２１…スプロケット、２２…ガイドバー、２２ａ…長孔、２２ｂ…係止孔、２３…ソーチェーン、３０…調整ピン、３１…垂直回転軸、３２…操作ホイール、３３…水平回転軸、３４、３５…傘歯車、３６…送りねじ。
【図１】
2015044293.tif 000003
【図２】
2015044293.tif 000004
【図３】
2015044293.tif 000005
【図４】
2015044293.tif 000006
【図５】
2015044293.tif 000007